(57)【特許請求の範囲】
【請求項１】
スーツケース本体に対して開閉可能に結合しているスーツケース用外蓋であって、
外周側環状フレームを有し、且つ前記スーツケース本体に結合されるメインケースと、
前記メインケースに枢動可能に結合される枢動端を有し、且つ前記外周側環状フレームに対向される結合フレームを有し、前記結合フレームは強磁性材料からなり、対応しあう内側面と外側面を有する外カバーと、
前記外周側環状フレームに設置され、前記外周側環状フレームと前記結合フレームを磁着可能な少なくとも１つの磁気部材と、
枢軸及び前記枢軸からそれぞれ延伸される第一結合部及び第二結合部で構成され、前記第一結合部は前記外周側環状フレームに固結され、前記第二結合部は前記枢動端に固結される複数の枢動部材と、を備えることを特徴とする、
スーツケース用外蓋。
【請求項２】
スーツケース本体に対して開閉可能に結合しているスーツケース用外蓋であって、
外周側環状フレーム及び前記外周側環状フレームの下部から外側に突起した外階段を有し、且つ前記スーツケース本体に結合されるメインケースと、
前記メインケースに枢動可能に結合される枢動端を有し、且つ前記外周側環状フレームに対向される結合フレームを有し、前記結合フレームは強磁性材料からなり、対応しあう内側面と外側面を有する外カバーと、
前記外周側環状フレームに設置され、前記外周側環状フレームと前記結合フレームを磁着可能な少なくとも１つの磁気部材と、
枢軸及び前記枢軸からそれぞれ延伸される第一結合部及び第二結合部で構成され、前記第一結合部は前記外階段に固結され、前記第二結合部は前記枢動端に固結される複数の枢動部材と、を備えることを特徴とする、
スーツケース用外蓋。
【請求項３】
スーツケース本体に対して開閉可能に結合しているスーツケース用外蓋であって、
強磁性材料で製造された外周側環状フレームを有し、且つ前記スーツケース本体に結合されるメインケースと、
前記メインケースに枢動可能に結合される枢動端を有し、且つ前記外周側環状フレームに対向される結合フレームを有し、対応しあう内側面と外側面を有する外カバーと、
前記結合フレームに設置され、前記外周側環状フレームと前記結合フレームを磁着可能な少なくとも１つの磁気部材と、
枢軸及び前記枢軸からそれぞれ延伸される第一結合部及び第二結合部で構成され、前記第一結合部は前記外周側環状フレームに固結され、前記第二結合部は前記枢動端に固結される複数の枢動部材と、を備えることを特徴とする、
スーツケース用外蓋。
【請求項４】
スーツケース本体に対して開閉可能に結合しているスーツケース用外蓋であって、
強磁性材料で製造された外周側環状フレーム、及び前記外周側環状フレームの下部から外側に突起した外階段を有し、且つ前記スーツケース本体に結合されるメインケースと、
前記メインケースに枢動可能に結合される枢動端を有し、且つ前記外周側環状フレームに対向される結合フレームを有し、対応しあう内側面と外側面を有する外カバーと、
前記結合フレームに設置され、前記外周側環状フレームと前記結合フレームを磁着可能な少なくとも１つの磁気部材と、
枢軸及び前記枢軸からそれぞれ延伸される第一結合部及び第二結合部で構成され、前記第一結合部は前記外階段に固結され、前記第二結合部は前記枢動端に固結される複数の枢動部材と、を備えることを特徴とする、
スーツケース用外蓋。
【請求項５】
スーツケース本体に対して開閉可能に結合しているスーツケース用外蓋であって、
外周側環状フレームを有し、且つ前記スーツケース本体に結合されるメインケースと、
前記メインケースに枢動可能に結合される枢動端を有し、且つ前記外周側環状フレームに対向される結合フレームを有し、対応しあう内側面と外側面を有する外カバーと、
前記外周側環状フレーム及び前記結合フレームに設置され、前記外周側環状フレームと前記結合フレームを磁着可能な複数の磁気部材と、
枢軸及び前記枢軸からそれぞれ延伸される第一結合部及び第二結合部で構成され、前記第一結合部は前記外周側環状フレームに固結され、前記第二結合部は前記枢動端に固結される複数の枢動部材と、を備えることを特徴とする、
スーツケース用外蓋。
【請求項６】
スーツケース本体に対して開閉可能に結合しているスーツケース用外蓋であって、
外周側環状フレーム及び前記外周側環状フレームの下部から外側に突起した外階段を有し、且つ前記スーツケース本体に結合されるメインケースと、
前記メインケースに枢動可能に結合される枢動端を有し、且つ前記外周側環状フレームに対向される結合フレームを有し、対応しあう内側面と外側面を有する外カバーと、
前記外周側環状フレーム及び前記結合フレームに設置され、前記外周側環状フレームと前記結合フレームを磁着可能な複数の磁気部材と、
枢軸及び前記枢軸からそれぞれ延伸される第一結合部及び第二結合部で構成され、前記第一結合部は前記外階段に固結され、前記第二結合部は前記枢動端に固結される複数の枢動部材と、を備えることを特徴とする、
スーツケース用外蓋
【請求項７】
前記外周側環状フレームは結合孔を有し、前記結合フレームは結合用ラッチを有し、前記結合用ラッチは前記結合孔内に挿設されることを特徴とする、請求項１乃至６のいずれか一項に記載のスーツケース用外蓋。
【請求項８】
前記外カバーは前記外側面に凹部を有し、使用者が前記凹部に手を入れて前記外カバーを開閉できることを特徴とする、請求項１乃至６のいずれか一項に記載のスーツケース用外蓋。
【発明の詳細な説明】
【技術分野】
【０００１】
本発明は、スーツケース用外蓋に関する。
【背景技術】
【０００２】
スーツケースは現代社会において必要不可欠な旅行用具であり、より多くの品物を入れ、収納及び分類をより便利にするため、一般的なスーツケースでは複数のポケットを有する構造に設計されている。このため、スーツケースが外蓋を有する設計となり、一般的なスーツケースの外蓋及び本体はファスナーにより結合される。
【発明の概要】
【発明が解決しようとする課題】
【０００３】
しかしながら、前述した従来のスーツケースでは、ファスナーが複数回反復使用された後には損壊したり閉まりきらなくなるため、使用上不便であった。このため、使用が便利で、重複して使用できるスーツケース用外蓋が必要であった。
【０００４】
そこで、本発明者は上記の欠点が改善可能と考え、鋭意検討を重ねた結果、合理的設計で上記の課題を効果的に改善する本発明の提案に到った。
【０００５】
本発明は、このような従来の問題に鑑みてなされたものである。上記課題解決のため、本発明は、使用に便利で重複して使用できるスーツケース用の外蓋を提供することを主目的とする。
【課題を解決するための手段】
【０００６】
上述した課題を解決し、上記目的を達成するための本発明に係るスーツケース用外蓋はスーツケース本体に結合され、前記スーツケース用外蓋は、外周側環状フレームを有し、且つ前記スーツケース本体に結合されるメインケースと、前記メインケースに枢動可能に結合される枢動端を有し、且つ前記外周側環状フレームに対向される結合フレームを有する外カバーと、前記外周側環状フレームと前記結合フレームとの間に設置される少なくとも１つの磁気部材と、枢軸及び前記枢軸からそれぞれ延伸される第一結合部及び第二結合部で構成され、前記第一結合部は前記メインケースに固結され、前記第二結合部は前記外カバーに固結される２つの枢動部材とを備えることを特徴とする。
【発明の効果】
【０００７】
以上の構成から、本発明は主にメインケースの外周側環状フレーム及び外カバーの結合フレームの間に少なくとも１つの磁気部材が設置され、メインケースの外周側環状フレーム及び外カバーの結合フレームが磁気部材の吸引力により常態で貼り合わせられ、使用者が外カバーを開く場合、外カバーに磁気部材の磁力以上の力量をかけるのみで外カバーが開かれるため、使用に便利で、重複して使用可能なスーツケース用外蓋である。
【図面の簡単な説明】
【０００８】
【図１】本発明の第１実施形態に係るスーツケースが閉合される外観斜視図である。
【図２】本発明の第１実施形態に係るスーツケースが開かれた外観斜視図である。
【図３】本発明の第１実施形態に係るスーツケースが開かれた外観斜視図である。
【図４】本発明の第１実施形態に係るスーツケース用外蓋を示す部分の上面図である。
【図５】本発明の第１実施形態に係るスーツケース用外蓋を示す部分の拡大図である。
【図６】本発明の他の実施形態に係るスーツケース用外蓋を示す外観斜視図である。
【図７】本発明のスーツケース用外蓋がスーツケース本体に結合される外観斜視図である。
【発明を実施するための形態】
【０００９】
以下、図面を参照して、本発明を実施するための形態について、詳細に説明する。なお、本発明は、以下に説明する実施形態に限定されるものではない。
【実施例】
【００１０】
（第１実施形態）
本発明のスーツケース用外蓋はスーツケース本体Ｂに結合され、図１乃至図７に示すように、以下四つの部材を備える。
１：結合孔１２を有する外周側環状フレーム１１を具備し、外階段１３を更に有し、スーツケース本体Ｂに結合されるメインケース１０。
２：メインケース１０に枢動可能に結合される枢動端２１を有し、且つ外周側環状フレーム１１に対向される結合フレーム２２を有し、結合フレーム２２は結合孔１２内に挿設される結合用ラッチ２２１を具備し、対応し合う内側面２０１及び外側面２０２からなる外カバー２０であって、外カバー２０は外側面２０２に凹部２３を有し、使用者が凹部２３に手を進入させて外カバー２０に力を加えることで、外カバー２０が枢動端２１を枢動の中心としてメインケース１０に対して枢動する外カバー２０。
３：外周側環状フレーム１１と結合フレーム２２との間に設置され、外周側環状フレーム１１に設置されてもよく、外周側環状フレーム１１に設置される場合、結合フレーム２２が金属材質で製造される磁気部材Ｍであって、磁気部材Ｍは結合フレーム２２に設置されてもよく、磁気部材Ｍが結合フレーム２２に設置される場合、外周側環状フレーム１１が金属材質により製造され、磁気部材Ｍの数量が２より多い場合、これら前記磁気部材Ｍは同時に外周側環状フレーム１１及び結合フレーム２２に設置され、本発明の好ましい実施形態では、これら前記磁気部材Ｍは間隔をあけて配列される少なくとも１つの磁気部材Ｍ。
４：枢軸３１及び枢軸３１からそれぞれ延伸される第一結合部３２及び第二結合部３３で構成され、第一結合部３２はメインケース１０に固結され、第二結合部３３は外カバー２０に固結される２つの枢動部材３０。
【００１１】
（第２実施形態）
本発明の第１実施形態によれば、第一結合部３２は外周側環状フレーム１１に結合され、第二結合部３３は外カバー２０の枢動端２１の内側面２０１に結合される。本発明の第２実施形態では、第一結合部３２が外階段１３に結合され、第二結合部３３が外カバー２０の枢動端２１の外側面２０２に結合される（図６参照）。
【００１２】
以上の構成から、本発明は主にメインケース１０の外周側環状フレーム１１及び外カバーの結合フレーム２２の間に少なくとも１つの磁気部材Ｍが設置され、メインケース１０の外周側環状フレーム１１及び外カバー２０の結合フレーム２２が磁気部材Ｍの吸引力により常態で貼り合わせられ、メインケース１０及び外カバー２０が常態で閉合状態を呈する。
使用者が外カバー２０を開ける場合、外カバー２０に磁気部材Ｍの磁力以上の力量をかけるのみで、外カバー２０が開かれる。よって、使用に便利で、重複して使用可能である。
【００１３】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００１４】
１０    メインケース
１１    外周側環状フレーム
１２    結合孔
１３    外階段
２０    外カバー
２０１  内側面
２０２  外側面
２１    枢動端
２２    結合フレーム
２２１  結合用ラッチ
２３    凹部
３０    枢動部材
３１    枢軸
３２    第一結合部
３３    第二結合部
Ｂ      スーツケース本体
Ｍ      磁気部材
【図１】
0006262267.tif 000002
【図２】
0006262267.tif 000003
【図３】
0006262267.tif 000004
【図４】
0006262267.tif 000005
【図５】
0006262267.tif 000006
【図６】
0006262267.tif 000007
【図７】
0006262267.tif 000008